(57)【要約】【課題】  腰掛付きの組立式テーブルであって、固着手段を一切使用することなく、組立、分解が容易であり、腰掛板が強度部材として機能し、十分な強度が得られる。【解決手段】  脚体Ｂと、この脚体Ｂ上面に着脱可能に設けられる天板Ａと、脚体Ｂの側面に着脱可能に支持される複数枚の腰掛板Ｃとよりなり、脚体Ｂは、一対の脚板Ｂ１，Ｂ２を相互に着脱可能に差込み係合することにより十字状に形成され、またその対向側面には、腰掛板Ｃを着脱可能に支持するための腰掛板支持片７ｕ，７ｄが設けられる。【選択図】図１
0003129079.tif 000002
【実用新案登録請求の範囲】
【請求項１】
組立、分解可能な、腰掛付きの組立式テーブルであって、
脚体（Ｂ）と、この脚体（Ｂ）の上面に着脱可能に設けられる天板（Ａ）と、前記脚体（Ｂ）の側面に着脱可能に支持される複数枚の腰掛板（Ｃ）とよりなり、前記脚体（Ｂ）は、一対の脚板（Ｂ１，Ｂ２）を相互に着脱可能に差込み係合することにより十字状に形成され、またその対向側面には、前記腰掛板（Ｃ）を着脱可能に橋架支持するための腰掛板支持片（７ｕ，７ｄ）が設けられていることを特徴とする、腰掛付きの組立式テーブル。
【請求項２】
前記脚体（Ｂ）の対向側面には、前記腰掛板支持片（７ｕ，７ｄ）が、上下複数段にわたって設けられていることを特徴とする、前記請求項１記載の腰掛付きの組立式テーブル。
【請求項３】
前記天板（Ａ）は、円形状、多角形状、楕円形状など適宜な形状に形成されることを特徴とする、前記請求項１記載の腰掛付きの組立式テーブル。
【請求項４】
前記脚体（Ｂ）のコーナー部には、物品を着脱可能に吊り下げるための引掛け部（６）が形成されていることを特徴とする、前記請求項１記載の腰掛付きの組立式テーブル。
【考案の詳細な説明】
【技術分野】
【０００１】
本考案は、組立、解体が簡単な腰掛付きの組立式テーブルに関する。
【背景技術】
【０００２】
従来、円盤状の天板の裏面に十字状の差し込み溝を設け、その部分に板を十字に組合せたものを差し込むことにより、ネジ、釘、ボンドなどを使用せずに簡単に組み立てられるようにした組立式テーブルは公知である（後記特許文献１参照）。
【特許文献１】実用新案登録第３１０４０７８号公報
【考案の開示】
【考案が解決しようとする課題】
【０００３】
ところが、前記従来の組立式テーブルは、天板の裏面に、脚体となる十字状の板を差し込むだけで組み立てられるので、十分な強度が得られないという問題があり、しかもこの組立式テーブルは、テーブルとしてしか機能しない。
【０００４】
本考案はかかる実情に鑑みてなされたもので、腰掛を備え、しかもその腰掛を構成する腰掛板を利用して十分な強度を確保できるようにしてた新規な、腰掛付きの組立式テーブルを提供することを目的とする。
【課題を解決するための手段】
【０００５】
前記目的を達成するために、請求項１記載の考案は、組立、分解可能な、腰掛付きの組立式テーブルであって、脚体と、この脚体の上面に着脱可能に設けられる天板と、前記脚体の側面に着脱可能に支持される複数枚の腰掛板とよりなり、前記脚体は、一対の脚板を相互に着脱可能に差込み係合することにより十字状に形成され、またその対向側面には、前記腰掛板を着脱可能に橋架支持するための腰掛板支持片が設けられていることを特徴としている。
【０００６】
また、請求項２記載の考案は、前記請求項１記載のものにおいて、前記脚体の対向側面には、前記腰掛板支持片が、上下複数段にわたって設けられていることを特徴としている。
【０００７】
また、請求項３記載の考案は、前記請求項１記載のものにおいて、前記天板は、円形状、多角形状、楕円形状など適宜な形状に形成されることを特徴としている。
【０００８】
さらに、請求項４記載の考案は、前記請求項１記載のものにおいて、前記脚体のコーナー部には、物品を着脱可能に吊り下げるための引掛け部が形成されていることを特徴としている。
【考案の効果】
【０００９】
請求項各項記載の考案によれば、ネジ、釘、接着剤などの固着手段を一切必要とすることなく、組立、分解が容易であり、かつ腰掛板を強度部材として利用することにより、強度の高い組立式テーブルを提供できる。
【００１０】
また、請求項２項記載の考案によれば、腰掛板支持片が、上下複数段にわたって設けられることにより、それらの腰掛板支持片に選択的に腰掛板を支持させることにより、その腰掛板を大人用、子供用に使い分けることができ、きわめて利便性の高い腰掛付きの組立式テーブルを提供できる。
【００１１】
さらに、請求項３項記載の考案によれば、天板を円形、四角形など適宜な形状とすることができ、用途、好みなどに応じてテーブルの形態を変えることができる。
【００１２】
さらにまた、請求項４項記載の考案によれば、脚体のコーナー部には、物品を着脱可能に吊り下げるための引掛け部が形成されているので、腰掛付きの組立式テーブルの使用者は、引っ掛け部に携帯品を吊り下げておくことができる。
【考案を実施するための最良の形態】
【００１３】
本考案の実施の形態を、添付図面に例示した本考案の実施例に基づいて以下に具体的に説明する。
【００１４】
図１〜５は、本考案腰掛付きの組立式テーブルの第１実施例を示すものであり、図１は、腰掛付きの組立式テーブルの組立斜視図、図２は、腰掛付きの組立式テーブルの分解斜視図、図３は、図１の３矢視図、図４は、図３の４−４線に沿う断面図、図５は、腰掛付きの組立式テーブルの組立手順を示す図である。
【００１５】
本考案にかかる腰掛付きの組立式テーブルは、硬質ダンボール、木材、合成樹脂材、アルミ材、鉄材などの金属材などの材料より作られ、天板Ａ、脚体Ｂおよび複数枚の腰掛板Ｃ…より構成されて、ネジ、釘、接着剤などの固着手段を一切用いることなく、組立、分解できるように構成される。
【００１６】
この第１実施例の天板Ａは、円形状に形成されており、その周縁には周方向に等間隔をあけてコ字状の４つの係合溝１…が設けられる。
【００１７】
また、前記脚体Ｂは一対の脚板Ｂ１，Ｂ２よりなり、それらの脚板Ｂ１，Ｂ２は、いずれも横方向に長い長方形状に形成され、それらの横方向中央部に形成される差込部８，８に切り込まれるスリット８ａ，８ｂの方向が逆向きである以外は、同一に形成されている。一対の脚板Ｂ１，Ｂ２の下辺はそれぞれチャンネル状に形成されて、その両端に脚部３，３が形成されている。また一対の脚板Ｂ１，Ｂ２の上辺の中間部には、天板嵌合溝４，４がそれぞれ形成されており、この天板嵌合溝４，４の深さは、天板Ａの厚みと略同じである。また、天板嵌合溝４，４の両端には、前記係合溝１…を着脱可能に係止し得る係止部５，５が形成されている。さらに一対の脚板Ｂ１，Ｂ２の上辺コーナー部には携帯品を吊り下げるための引掛け部６，６が形成される。
【００１８】
一対の脚板Ｂ１，Ｂ２の左右両端部の両側面には、上下２段にわたってかぎ状の上段および下段腰掛支持片７ｕ，７ｕ，７ｄ，７ｄがそれぞれ固着されている。
【００１９】
一対の脚板Ｂ１，Ｂ２の横方向の中央部には、それらの脚板Ｂ１，Ｂ２を十字状に差込み係合するための差込み部８，８がそれぞれ形成されている。図２に明瞭に示すように、一方の脚板Ｂ１の差込み部８には、その下辺よりその中央部に至る一方の差込みスリット８ａが切り込まれ、また、他方の脚板Ｂ２の差込み部８には、その上辺より中央部に至る他方の差込みスリット８ｂが切り込まれている。一対の脚板Ｂ１，Ｂ２を上下方向に十字状に交叉させて、差込みスリット８ａ，８ｂを切り込んだ差込み部８，８を上下方向より互いに差込み係合することにより、十字状の脚体Ｂが組み付けられる。
【００２０】
前記複数枚の腰掛板Ｃ…は短冊状をなしていて、その両端面には、約４５°に傾斜する傾斜支持面９，９と、それらの尖端を面取りした面取り面１０，１０とが形成されている。
【００２１】
つぎに、主に図５を参照して、この腰掛付きの組立式テーブルを組み付ける手順について説明すると、
(1) まず、前述したように、一対の脚板Ｂ１，Ｂ２を相互に差込み係合して平面十字状をなす脚体Ｂを組み付ける。この場合、隣り合う脚板Ｂ１，Ｂ２の側面間のなす角度は約９０°である。
【００２２】
(2) つぎに、図５（ａ）に示すように、脚体Ｂの脚部３…を接地したのち、隣り合う脚板Ｂ１，Ｂ２の側面に相対向して設けられる、上段および下段の腰掛支持片７ｕ，７ｕ，７ｄ，７ｄに、選択的に腰掛板Ｃ…の両端の傾斜支持面９，９を係合、支持させる。これにより隣り合う脚板Ｂ１，Ｂ２の側面間に腰掛板Ｃ…を橋架支持することができる。この場合、上下段の腰掛支持片部７ｕ，７ｕ，７ｄ，７ｄには、腰掛板Ｃ…を選択的に橋架支持することにより、図４鎖線に示すように、上段の腰掛板Ｃ…を子供の腰掛け用に、また、下段の腰掛板Ｃ…を大人の腰掛け用に供することができる。そして、脚体Ｂに複数枚の腰掛板Ｃ…を橋架支持させることにより、脚体Ｂを補強することができる。
【００２３】
(3) つぎに、図５（ｂ）に示すように、脚体Ｂの天板嵌合溝４，４に、天板Ａを嵌合させ、該天板Ａの係合溝１…を、天板嵌合溝４，４両端の係止部５，５に係止する。
【００２４】
(4) 以上により、図１に示すように、腰掛付きの組立式テーブルを堅固に組み立てることができる。
【００２５】
引掛け部６…には、必要に応じて鞄などの携帯品１１を吊り下げることができる。
【００２６】
この腰掛付きの組立式テーブルを分解するときは、前記(1) 〜(4) の手順を逆に行う。      
【００２７】
以上のように、本考案にかかる腰掛付きの組立式テーブルは、ネジ、釘、接着剤などの固着手段を一切用いることなく、簡単、堅固に組み立てることができ、特に、複数枚の腰掛板Ｃ…をテーブルの補強部材として機能させることにより、その強度を一層高めることができる。また、複数枚の腰掛板Ｃ…は、上段、下段の腰掛支持片７ｕ，７ｕ、７ｄ，７ｄに選択的に橋架、支持させることにより、大人、子供用腰掛として利用することができ、きわめて利便性がよい。
【００２８】
つぎに、図６を参照して本考案の第２実施例について説明する。
【００２９】
図６は、腰掛付きの組立式テーブルの平面図であり、前記第１実施例と同じ要素には同じ符号が付される。
【００３０】
この第２実施例は、天板Ａを四角状に形成した場合であり、天板Ａの４つのコーナーには、それぞれコ字状の係合溝１が形成され、またそれらのコーナーの尖端は面取り１３されている。四角状の天板Ａは、その対角部が脚体Ｂの天板嵌合溝４，４にそれぞれ嵌合され、また係合溝１は、脚体Ｂの係止部５…にそれぞれ係止される。
【００３１】
しかして、この第２実施例のものも、前記第１実施例のものと同じ作用効果を奏する。      
【００３２】
以上、本考案の実施例について説明したが、本考案はその実施例に限定されることなく、本考案の範囲内で種々の実施例が可能である。
【００３３】
たとえば、前記第１、２実施例では、天板Ａを円形状、四角形状としたが、これを他の適宜な形状に形成してもよい。また、前記第１、２実施例では、腰掛板Ｃを脚体Ｂに上下２段に支持するようにしているが、これを一段もしくは３段以上に支持するようにしてもよい。
【図面の簡単な説明】
【００３４】
【図１】腰掛付きの組立式テーブルの組立斜視図
【図２】腰掛付きの組立式テーブルの分解斜視図
【図３】図１の３矢視図
【図４】図３の４−４線に沿う断面図
【図５】腰掛付きの組立式テーブルの組立手順を示す図
【図６】本考案の第２実施例にかかる腰掛付きの組立式テーブルの平面図
【符号の説明】
【００３５】
Ｂ１・・・・・・脚板
Ｂ２・・・・・・脚板
６・・・・・・・引掛け部
７ｕ・・・・・・上段腰掛け支持片
７ｄ・・・・・・下段腰掛け支持片
Ａ・・・・・・・天板
Ｂ・・・・・・・脚体
Ｃ・・・・・・・腰掛板
【図１】
0003129079.tif 000003
【図２】
0003129079.tif 000004
【図３】
0003129079.tif 000005
【図４】
0003129079.tif 000006
【図５】
0003129079.tif 000007
【図６】
0003129079.tif 000008